(57)【要約】【解決手段】断面山形状を成した捕獲容器１内に帯状電極板２を配し、合成フェロモン剤を誘引剤３として使用する。帯状電極板２は、帯状基盤２Ａの表面に設けられた略線状の電極２Ｂの間に絶縁軌条２Ｃを有する。帯状電極板２は２０秒乃至２５秒間隔で１秒以内のパルス状に通電する。誘引剤３を捕獲容器１の中央頂部に配設し、この捕獲容器１の中央頂部に向かう勾配を傾斜角度２５°乃至３５°に設定する。【効果】電気ショックを利用した捕獲器において、ゴキブリの捕獲に最適なタイミングで通電することができる。耐久性に優れた電極を提供する。合成フェロモン剤を誘引剤として使用した場合に、誘引効果を広げることができる。【選択図】　　　　図２
2004049021.tif 000002
【特許請求の範囲】
【請求項１】
断面山形状を成した捕獲容器内に帯状電極板を配し、合成フェロモン剤を誘引剤として使用するゴキブリ捕獲器において、前記帯状電極板は、帯状基盤の表面に設けられた線状の電極の間に、絶縁軌条を配したことを特徴とするゴキブリ捕獲器。
【請求項２】
前記帯状電極板は、２０秒乃至２５秒間隔で１秒以内のパルス状に通電する請求項１記載のゴキブリ捕獲器。
【請求項３】
前記帯状電極板において、基盤上にプリントした銅箔の表面に半田メッキを施した電極を使用する請求項１記載のゴキブリ捕獲器。
【請求項４】
前記誘引剤は、前記捕獲容器の中央頂部に配設され、この捕獲容器において中央頂部に向かう勾配を２５°乃至３５°に設定した請求項１記載のゴキブリ捕獲器。
【発明の詳細な説明】
【０００１】
【発明の属する技術分野】
本発明は、電気ショックを利用してゴキブリを捕獲するゴキブリ捕獲器に関する。
【０００２】
【従来の技術】
従来、この種のゴキブリ捕獲器として、特公昭４８−２４２２８号公報に記載された捕獲装置や、特表昭５６−５００４７９号公報に記載された捕獲器および捕獲技術が出願されている。
【０００３】
前者の捕獲装置は、筒状容器の内部に帯状電極を貼り付けておき、容器の内部に設置したえさ等でゴキブリを容器内部に誘引するもので、容器内部に誘引されたゴキブリが帯状電極に接触すると電気ショックによって容器内部に落下する。この落下したゴキブリを捕獲する装置である。
【０００４】
後者の捕獲器および捕獲技術は、ゴキブリ誘導用として形成された略山形状の容器頂部付近に導体を配設し、この導体に３００〜４００ボルトの電流でパルスを発するように設けたものである。そして、合成フェロモン剤等の誘引剤で誘引されたゴキブリが導体に接触すると、導体の間に形成した隙間から容器内部に落下するように設けたもので、落下したゴキブリは容器内部に配置されている捕獲器に捕獲されるものである。
【０００５】
【発明が解決しようとする課題】
電気ショックを利用した従来の捕獲器には、次のような課題が残されていた。第１の課題は、ゴキブリに電気ショックを与える帯状電極や導体の導電効果が、ゴキブリを捕獲するごとに低下することである。すなわち、捕獲器に使用されている電極は、帯状基盤の表面に細長い電極を平行に配したものが使用されている。そして、ゴキブリがプラスの電極とマイナスの電極とに同時に接触した際に感電して容器内部に落下する。ところが、感電したゴキブリは、電気ショックによって体液を放出し、電極表面に付着したり、電極間に残ったりする。そのため、電極で感電したゴキブリの数が多くなるほど電極の汚れがひどくなり、１ヶ月ほども使用すると電極表面から電流が流れ難くなり、電極間に体液等が溜まった場合には、電極がショートしてしまう不都合もあった。したがって、常に電極表面を清掃するなど、電極のメンテナンスが極めて重要な作業になっていた。また、電極表面の清掃が繰り返されることにより、電極自体の寿命も短くなる不都合もあった。
【０００６】
第２の課題は、電量を流すタイミングにある。電極に電流を常時流していると、ゴキブリが警戒するので捕獲率が下がることが知られている。そこで後者の捕獲器および捕獲技術は、１０秒間隔で１秒以内の通電をパルス状にくり返すように設定することで、捕獲効果を上げている。しかしながら、このタイミングは、常時通電している状態に比べて効果が高いものではあるが、このタイミングがゴキブリの捕獲に最適なタイミングであるということではなかった。
【０００７】
第３の課題は、容器の形状と誘引剤との関係にある。後者の捕獲器および捕獲技術は、合成フェロモン剤を誘引剤として使用している。この合成フェロモン剤は、他の餌などの誘引剤に比べて極めて高い誘引効果が認められている。ところが、後者の捕獲器および捕獲技術では、ゴキブリが走行する容器の上全体に蓋体をかぶせ、ゴキブリを誘引するスペースをゴキブリが好む隙間状に形成しているため、容器の内部に装着した合成フェロモン剤が、この隙間から容器外部に行き渡り難い構造になっていた。したがって、この誘引効果の優れた合成フェロモン剤に適した容器形状に改良することで、より多くのゴキブリを捕獲することが可能になる。
【０００８】
そこで本発明は、上述の課題を解消すべく創出されたもので、電気ショックを利用した捕獲器において、耐久性に優れた電極を提供すると共に、ゴキブリの捕獲に最適なタイミングで通電することができ、しかも、合成フェロモン剤を誘引剤として使用した場合に、誘引効果を広げることができるゴキブリ捕獲器の提供を目的とするものである。
【０００９】
【課題を解決するための手段】
上述の目的を達成すべく本発明の第１の手段は、断面山形状を成した捕獲容器１内に帯状電極板２を配し、合成フェロモン剤を誘引剤３として使用するゴキブリ捕獲器において、前記帯状電極板２は、帯状基盤２Ａの表面に設けられた略線状の電極２Ｂの間に、絶縁軌条２Ｃを配したものである。
【００１０】
第２の手段において、前記帯状電極板２は、２０秒乃至２５秒間隔で１秒以内のパルス状に通電することにある。
【００１１】
第３の手段は、前記帯状電極板２において、帯状基盤２Ａ上にプリントした銅箔２Ｂａの表面に半田メッキ２Ｂｂを施した電極２Ｂを使用する。
【００１２】
第４の手段における誘引剤３は、前記捕獲容器１の中央頂部に配設され、この捕獲容器１の中央頂部に向かう勾配を傾斜角度２５°乃至３５°に設定したことを課題解消のための手段とする。
【００１３】
本発明によると、帯状電極板２の電極２Ｂ間に絶縁軌条２Ｃが配されているので、電極２Ｂ間にゴキブリの体液が溜まってもショートすることがない。また、銅箔２Ｂａの表面に施した半田メッキ２Ｂｂが電極２Ｂの耐久性能を高めることができる。そして、２０秒乃至２５秒間隔でパルス状に通電する帯状電極板２によって、ゴキブリに警戒心を与えることなく最も効果的に捕獲するものである。
【００１４】
【発明の実施の形態】
以下、図面を参照して本発明の実施の形態を説明する。本発明支持装置の基本構成は、捕獲容器１、帯状電極板２、誘引剤３からなる。
【００１５】
捕獲容器１は、上部が開口し断面山形状を成した容器で、底部１Ａから一対の傾斜側板１Ｂを有する。図示例では、底部１Ａと傾斜側板１Ｂとを分割自在に形成している（図２参照）。そして、この底部１Ａ内に予め粘着シート１Ｃを着脱自在に装着しておくことで、捕獲したゴキブリをシートごと処分することができる。
【００１６】
帯状電極板２は、捕獲容器１の開口した上部内側に配されている。図示例では、傾斜側板１Ｂの頂部から捕獲容器１内部に傾斜した捕獲板１Ｃを設け、この垂直側板１Ｃの長手方向に沿って帯状電極板２を一対装着している。そして、この帯状電極板２相互間の開口上部に誘引剤３を設置する。そのため実施例では、捕獲容器１の開口部上方に載置台４を着脱自在に設置し、この載置台４下面に誘引剤３を装着するようにしている（図３参照）。このように載置台４を使用することで、帯状電極板２に通電するための電池５やスイッチ６、あるいは電子回路等の電気系統部品をこの載置台４に装着することができる。図示例の電気系統では、電池５、スイッチ６の他、通電状態を示すランプ７と電源コネクタ８を備えている（図６参照）。この電源コネクタ８は、載置台４と捕獲容器１と連結して通電せしめるもので、載置台４を捕獲容器１上に載置する際に、捕獲容器１に突設した電源ジャック９に接続する（図２参照）。この電源ジャック９を設けることで、載置台４の設置位置を定位置に固定すると共に、載置台４を設置していない場合は、確実に電源を切ることができる。
【００１７】
帯状電極板２は、絶縁性の帯状基盤２Ａの表面に略線状の電極２Ｂを複数本設けたものである（図４参照）。そして、電極２Ｂの相互間に、絶縁軌条２Ｃを配している（図５参照）。この絶縁軌条２Ｃは、電極２Ｂに沿って設けられるもので、各電極２Ｂの間隙に設けられた堰として作用する。すなわち、電極２Ｂ間に水分が溜まった場合でも、絶縁軌条２Ｃが堰止めるので、隣接する電極２Ｂのショートを防止することができる。この電極２Ｂは、帯状基盤２Ａの表面に銅箔２Ｂａをプリントし、更にこの銅箔２Ｂａの表面に半田メッキ２Ｂｂを施したものである。このように、電極２Ｂを二重構造にすることで、帯状電極板２の耐久性を高めることが可能になる。
【００１８】
帯状電極板２に常に電流を流していると、ゴキブリが警戒し、また、消費電力も多くなる。そこで本発明によると、一定間隔で帯状電極板２に通電するよに設定している。すなわち、帯状電極板２に通電する間隔は、２０秒乃至２５秒間隔で１秒以内のパルス状に通電するものである（図７参照）。発明者の実験では、通電間隔を１０秒に変更すると、ゴキブリが警戒して捕獲率が急激に落ちることが分かっている。また、通電間隔を３０秒に設定した場合も、誘引剤３に近寄ってきたゴキブリが帯状電極板２から離れて周辺に移動し始めるので、捕獲率が低下する。したがって、ゴキブリが帯状電極板２に近寄っている時間帯の２０秒乃至２５秒間隔が、最も捕獲率の高いサイクルであると判明した。より好ましくは、通電パルス時間を約０．４秒とし、周波数約６００Ｈｚで約２００Ｖの電流が流れるように設定する（図８参照）。このような設定によると、単一乾電池４本（６Ｖ）で、約６ヶ月間作動させることができる。
【００１９】
誘引剤３に惹かれたゴキブリは、傾斜側板１Ｂを登り帯状電極板２に接触すると電気ショックを受けて捕獲容器１内に捕獲される。この誘引剤３は、合成フェロモン剤を捕獲容器１の中央上部に設置する。この場合、傾斜側板１Ｂの傾斜角度は、合成フェロモン剤がより拡散し易く、且つ、ゴキブリの警戒心が少なくなる角度、すなわち、傾斜角度２５°乃至３５°に設定する。この角度に設定することで、捕獲容器１の中央上部に設置した合成フェロモン剤が傾斜側板１Ｂに沿って周囲に拡散し、広いエリアからゴキブリを誘引する。そして、捕獲容器１の近くまできたゴキブリは、抵抗なく傾斜側板１Ｂを駆け上がり、捕獲容器１上部の帯状電極板２に接触するものである。
【００２０】
誘引剤３は、合成フェロモン剤を誘引剤３として使用する。この合成フェロモン剤は、ペリプラネタアメリカーナ、プラテラゲルマニカと称されるものを使用すると、極めて高い誘引効果が生じることが知られている。この誘引剤３を帯状電極板２相互の上部に設置しているので、傾斜側板１Ｂを登ってきたゴキブリは、帯状電極板２を足掛かりとして更に誘引剤３に近付こうとする。そのとき、帯状電極板２にパルス状の電流が流れると、瞬間的に捕獲容器１内に捕獲することができる。このように電気ショックを与えて捕獲したゴキブリは、体液を放出するが、卵を産み付ける時間を与えないので、捕獲容器１内に設置した粘着シートによって確実に駆除することができる。
【００２１】
【発明の効果】
本発明は、上述の如く構成したことにより当初の目的を達成する。すなわち帯状基盤２Ａの表面に設けられた略線状の電極２Ｂの間に絶縁軌条２Ｃを配しているので、電極２Ｂ間にゴキブリの体液が溜まっても電極２Ｂがショートするのを防止できる。
【００２２】
また、帯状電極板２は、２０秒乃至２５秒間隔で１秒以内のパルス状に通電することにより、ゴキブリの捕獲に最適なタイミングとなる。
【００２３】
そして、帯状電極板２は、帯状基盤２Ａ上に銅箔２Ｂａをプリントし、この銅箔２Ｂａの表面に半田メッキ２Ｂｂを施した電極２Ｂを形成しているので、耐久性能が向上し、頻繁な洗浄等のメンテナンスにも耐えられる。
【００２４】
更に、合成フェロモン剤を誘引剤３として使用し、この誘引剤３を捕獲容器１の中央頂部に配設した場合に、捕獲容器１の中央頂部に向かう勾配を傾斜角度２５°乃至３５°に設定すると、誘引剤３の誘引範囲を広げることができるので、広いエリアからゴキブリを誘い出すことができる。
【００２５】
このように、本発明によると、電気ショックを利用した獲器において、耐久性に優れた電極を提供すると共に、ゴキブリの捕獲に最適なタイミングで通電することができ、しかも、合成フェロモン剤を誘引剤として使用した場合に、誘引効果を広げることができるなどといった有益な種々の効果を奏するものである。
【図面の簡単な説明】
【図１】本発明の一実施例を示す斜視図である。
【図２】本発明の一実施例を示す分解斜視図である。
【図３】本発明の一実施例を示す断面図である。
【図４】本発明の帯状電極板を示す平面図である。
【図５】本発明の帯状電極板を示す要部拡大断面図である。
【図６】本発明の電気系統部品の概略接続図である。
【図７】本発明の電極が通電する時間サイクルを示す波形図である。
【図８】本発明の電極が通電する際のパルス状態を示す波形図である。
【符号の説明】
１　捕獲容器　　　　１Ａ　底部
１Ｂ　傾斜側板
１Ｃ　粘着シート
２　帯状電極板　　　２Ａ　帯状基盤
２Ｂ　電極
２Ｂａ　銅箔
２Ｂｂ　半田メッキ
２Ｃ　絶縁軌条
３　誘引剤
４　載置台
５　電池
６　スイッチ
７　ランプ
８　電源コネクタ
９　電源ジャック
【図１】
2004049021.tif 000003
【図２】
2004049021.tif 000004
【図３】
2004049021.tif 000005
【図４】
2004049021.tif 000006
【図５】
2004049021.tif 000007
【図６】
2004049021.tif 000008
【図７】
2004049021.tif 000009
【図８】
2004049021.tif 000010